(57)【要約】      （修正有）【課題】お墓を連想させる御影石内部に生前の記録を保管し、法事等の際にパソコンで故人の生前の写真等を再生するためのメモリ装置を提供する。【解決手段】パーソナルコンピュータに接続可能なメモリ装置であって、御影石を使用した外部筐体１０１と、放射線防護素材で覆ったメモリモジュールまたはメモリ・インターフェース一体型モジュールとを有することを特徴とするメモリ装置に故人の生前の写真、動画、声、手紙等をデータ化して蓄積する。これにより、お墓が無くとも、お骨や位牌と共に上記メモリ装置を保管することで、本山での供養の際、あるいは、納骨堂へのお参りの際に、故人のデータが保存されたメモリアル御影石から故人のデータをパソコンに表示することで、お墓参りで得られる充実感と同等の充実感を得ることができる。【選択図】図１
0003170549.tif 000002
【実用新案登録請求の範囲】
【請求項１】
パーソナルコンピュータに接続可能なメモリ装置において、
御影石を使用した外部筐体と、
放射線防護材で覆ったメモリモジュール若しくはメモリ・インターフェース一体型モジュールと、
を有することを特徴とするメモリ装置。
【請求項２】
パーソナルコンピュータとＵＳＢインターフェースを介して接続されるＵＳＢメモリ装置において、
御影石を使用した外部筐体と、
タングステン若しくはタングステンを含んだ合金で覆ったメモリモジュール若しくはメモリ・ＵＳＢインターフェース一体型モジュールと、
を有することを特徴とするＵＳＢメモリ装置。
【考案の詳細な説明】
【技術分野】
【０００１】
本考案は、故人を供養する際に仏壇等に供えて故人を偲ぶための厳かな雰囲気を有するメモリアルとなる物品に関するもので、特にお墓を連想させる御影石内部に生前の記録を保管し、法事等の際にパソコンで故人の生前の写真等を再生するためのメモリ装置に関する。
【先行技術文献】
【特許文献】
【０００２】
【特許文献１】実用新案登録３１２５７１５号公報
【特許文献２】特開２０００−２９１２９４号公報
【特許文献１】実用新案登録３００７３８３号公報
【考案の概要】
【考案が解決しようとする課題】
【０００３】
核家族化の進展により、家族単位でのお墓の購入が必要となる一方、安価な公営墓地の供給は限られ、遠隔地にある民間の墓地の永代使用料は高騰している。そのため、公営墓地の購入は限られた一部の家族に限られ、ほとんどの家族が民間墓地を購入することを余儀なくされている。
【０００４】
そのような状況下、最近はお寺の本山への分骨ではなく全骨を納め、家族単位で墓地を保有しない方式をとる例が増加している。また、市街地に建設されたビルの倉庫を納骨堂として使用し、参拝者が故人を指定して自動的に骨壺等を参拝者の手元に搬送してもらい、お参りするという安価なお墓を保有するという方式が出現している。
【０００５】
しかし、遠方の民間墓地を購入した場合には、遠隔地であるために、こまめにお墓の掃除をすることができず、命日、彼岸等でのお墓参りの際にお手入れをすることが精一杯である。さらに、お墓へお参りに行く機会が限られるため、故人の思い出に浸りたい時に故人を偲ぶことができない。
【０００６】
本山に納骨した場合も、本山で供養する際に、お骨、位牌等を拝むのみであり、お墓にお参りした場合に比して虚しさが否めない。また、市街地の納骨堂を利用する場合には、こまめにお参りができるという利点があるが、本山での供養と同様にお墓へのお参りに比して充実感がない。
【０００７】
一方、近年、半導体メモリの大容量化、映像蓄積・再生技術の進展により、故人の生前の画像等のデータが大量に蓄積され、パソコン等で簡単に故人の生前の写真、動画像を再生することにより故人を偲ぶことが可能になった。しかし、故人のデータが無機質なパソコンまたは機能的なＵＳＢメモリ等に蓄積され、パソコンにより再生したとしても、心からの故人を偲ぶ縁（よすが）とはなり得ない。
【課題を解決するための手段】
【０００８】
本考案は、上記した問題点を解決するために以下の方法で上記課題を解決する。
【０００９】
パーソナルコンピュータに接続可能なメモリ装置において、御影石を使用した外部筐体と、放射線防護素材で覆ったメモリモジュールまたはメモリ・インターフェース一体型モジュールとを有することを特徴とするメモリ装置（以下、メモリアル御影石）に故人の生前の写真、動画、声、手紙等をデータ化して蓄積する。
【００１０】
さらに、前記メモリ装置で、放射線防護素材をタングステンまたはタングステン合金とし、前記インターフェースをＵＳＢインターフェースとする。また、メモリモジュールとＵＳＢインターフェースモジュールが一体となったモジュールを使用することもできる。
【考案の効果】
【００１１】
メモリアル御影石の筐体は、御影石であるため、遺族にお墓を連想させ、それ自体が厳かな雰囲気を醸し出す。
【００１２】
しかし、御影石はγ線を放射するため、半導体素子にダメージを与え、メモリの内容を破壊する可能性がある。そこで、放射線防護素材でメモリ等を覆うことで、素子の放射線によるダメージを低減することができる。
【００１３】
お墓が無くとも、お骨や位牌と共に本考案によるメモリ装置を保管することで、本山での供養の際、あるいは、納骨堂としてビルの倉庫を利用した場合のお参りの際に、故人のデータが保存されたメモリアル御影石から故人のデータをパソコンに表示することで、お墓参りで得られる充実感と同等の充実感を得ることができる。
【００１４】
また、本考案によるメモリアル御影石を仏壇にお供えすることで、法事などで親族が集まった時などに、パソコンに接続していつでも故人を偲ぶことができる。
【図面の簡単な説明】
【００１５】
【図１】本考案によるメモリアル御影石の外観図である。
【図２】本考案によるメモリアル御影石ユニットの電気的構成図である。
【図３】本考案によるメモリアル御影石ユニットの部品実装図である。
【図４】本考案によるメモリアル御影石の構成を示す図である。
【考案を実施するための形態】
【００１６】
本考案の実施例として、図１にメモリアル御影石の外観図を示す。筐体（１０１）は御影石、またはプラスチック製等の筐体の表面に板状の御影石を貼付しても良い。筐体の大きさは任意であるが、保管、携帯用途を考慮して荘厳な雰囲気を醸し出す程度の大きさとすべきである。前面にパネル（１０２）を実装し、パネルにＵＳＢ−Ａタイプコネクタ（１０３）のメス型コネクタを実装する。
【００１７】
図２にメモリアル御影石ユニットの電気的構成図を示す。メモリアル御影石ユニット（２０１）は、放射線防護材（２０３）で覆ったＵＳＢメモリモジュールを搭載したＵＳＢメモリモジュール搭載プリント基板（２０２）と、ＵＳＢケーブル（２１１）を介してパーソナルコンピュータ（２１３）と接続するＵＳＢタイプＡコネクタ（２０７）を搭載したプリント基板（２０８）とから構成される。ＵＳＢメモリモジュール搭載プリント基板（２０２）とプリント基板（２０８）はオス型ピンヘッダ（２０４）及びメス型ピンヘッダ（２０５）により接続される。
【００１８】
プリント基板（２０８）に搭載されているＵＳＢ−Ａタイプコネクタ（２０７）及びパーソナルコンピュータ（２１３）に搭載されているＵＳＢ−Ａタイプコネクタ（２１２）はいずれもオス型コネクタ（以下、ＵＳＢ−Ａオスコネクタ）であり、これらは、ＵＳＢ−Ａタイプコネクタ（２０９、２１０）のメス型コネクタ（以下、ＵＳＢ−Ａメスコネクタ）を両端に有したＵＳＢケーブル（２１１）により接続される。ＵＳＢメモリがパーソナルコンピュータに接続された場合の電気的動作については周知技術であるので説明は省略する。
【００１９】
図３にメモリアル御影石ユニットの実装例を示す。図３の図面中央部分に、上蓋部分を透過し上方から見た上面図を示す。図３の左側に上面図で示したＡ−Ａ面で切断した場合のＡ−Ａ断面図を、下側に上面図で示したＢ−Ｂ面で切断した場合のＢ−Ｂ断面図を、右側に正面パネル側から見た正面図を示している。
【００２０】
ＵＳＢ−Ａオスコネクタ（３０１）がプリント基板（３０８）に搭載され（上面図参照）、正面パネル（３０７）に実装される（正面図参照）。ＵＳＢメモリモジュール（３０５）はＵＳＢメモリモジュール搭載基板（３０２）に搭載され（Ａ−Ａ断面図、Ｂ−Ｂ断面図参照）、放射線からメモリモジュールを保護するために２枚の放射線防護材（３０４）により上下に挟まれて実装されている（Ａ−Ａ断面図、Ｂ−Ｂ断面図参照）。
【００２１】
放射線防護材（３０４）がＵＳＢメモリモジュール搭載基板（３０２）の半田面に接触しないようにスペーサ（３０６）が挟み込まれている（Ａ−Ａ断面図、Ｂ−Ｂ断面図参照）。また、放射線防護材（３０４）は粘着テープ（３０３）により固定されている（上面図、Ａ−Ａ断面図、Ｂ−Ｂ断面図参照）。
【００２２】
なお、上面図、Ｂ−Ｂ断面図において、プリント基板（３０８）とＵＳＢメモリモジュール搭載基板（３０２）を接続するピンヘッダ（図２、２０４、２０５）は図面が煩雑となるため省略している。
【００２３】
本実施例では、メモリ機能とＵＳＢインターフェース機能が一体となったＵＳＢメモリモジュールを使用した場合の構成例を示しているが、メモリ機能とＵＳＢインターフェース機能をそれぞれに有する別個のモジュールから構成される場合も同様である。しかし、この場合には、放射線防護材によりメモリモジュールのみを保護する、またはメモリモジュールとＵＳＢインターフェースモジュールの両方を保護することのいずれでも採用可能である。放射線によるソフトエラー、半導体プロセスによる放射線耐性を考慮し、想定エラーレート及び製品寿命等を勘案して決めることとなる。
【００２４】
放射線防護材としては、鉛が知られているが、環境負荷が大きいことから世界的に使用が禁止されている。そのため、鉛に代わる放射線防護特性有する材料が使用されている。本実施例においては、放射線防護機能を有するタングステンまたはタングステン合金を使用しているが、その他の全ての放射線防護材が使用可能である。
【００２５】
図４に本考案によるメモリアル御影石の構成を示す。メモリアル御影石は、御影石である本体（４０１）、メモリ機能を提供するメモリアル御影石ユニット（４０２）、正面パネル（４０５）から構成される。
【００２６】
メモリアル御影石本体（４０１）にメモリアル御影石ユニット（４０２）の大きさより若干大きな収納穴（４０４）を開ける。
【００２７】
メモリアル御影石ユニット（４０２）にはあらかじめ正面パネル（４０５）をねじ止めし、メモリアル御影石本体（４０１）の収納穴（４０４）に挿入する。その際、メモリアル御影石本体（４０１）の前面と正面パネル（４０５）の裏側（本体側）に接着剤を塗布しておき、メモリアル御影石本体（４０１）と、正面パネル（４０５）を取り付けたメモリアル御影石ユニット（４０２）を固定する。ただし、固定方法は接着材による方法以外にも、ねじ止め等の取付方法でも良い。
【００２８】
さらに、御影石とメモリアル御影石ユニット間の空陵に、御影石ユニットを固定するための充填材を挿入することもできる。
【符号の説明】
【００２９】
１０１、４０１  メモリアル御影石本体
１０２、３０７、４０５  正面パネル
１０３、２０７、２１２、３０１、４０３  ＵＳＢ−Ａタイプオスコネクタ
２０１、４０２  メモリアル御影石ユニット
２０２、３０２  ＵＳＢメモリモジュール搭載プリント基板
３０３  接着テープ
２０４  ピンヘッダ（オス）
２０５  ピンヘッダ（メス）
２０６  ＵＳＢ信号ライン
２０８、３０８  プリント基板
２０９、２１０  ＵＳＢ−Ａタイプメスコネクタ
２１１  ＵＳＢケーブル
２１３  パーソナルコンピュータ
３０４  放射線防護材（タングステン）
２０３、３０５  ＵＳＢメモリモジュール
３０６  スペーサ
４０４  収納穴
【図２】
0003170549.tif 000003
【図３】
0003170549.tif 000004
【図１】
0003170549.tif 000005
【図４】
0003170549.tif 000006
【手続補正書】
【提出日】平成23年7月8日(2011.7.8)
【手続補正１】
【補正対象書類名】明細書
【補正対象項目名】０００２
【補正方法】変更
【補正の内容】
【０００２】
【特許文献１】実用新案登録３１２５７１５号公報
【特許文献２】特開２０００−２９１２９４号公報
【特許文献３】実用新案登録３００７３８３号公報